(57)【特許請求の範囲】
【請求項１】
身体の外部皮膚に接触することができる電極対と、該電極対間の生体電気インピーダンス値を測定するためのインピーダンス測定手段と、該測定された生体電気インピーダンス値を記憶するためのインピーダンス記憶手段と、該測定された生体電気インピーダンス値の推移に基づいて婦人の月周期で現われる体調を判定するための判定手段と、前記測定手段によるインピーダンスの測定中または前記判定手段による判定中に、女性の生理周期を表すサインカーブ状の模式図上をマークが移動する画面を表示する表示手段とを備えることを特徴とする婦人用体調管理装置。
【請求項２】
前記マークが○印と動物の絵であることを特徴とする請求項１に記載の婦人用体調管理装置。
【請求項３】
前記マークが月日の変化に応じて、色または形の少なくとも一つが変化することを特徴とする請求項１ないし請求項３に記載の婦人用体調管理装置。
【請求項４】
前記表示手段が更に記憶装置に記録されている測定データをテロップで流すことを特徴とする請求項１に記載の婦人用体調管理装置。
【発明の詳細な説明】
【０００１】
【発明の属する技術分野】
本発明は、排卵日、ＰＭＳ期、月経期、妊娠可能期等の婦人の月周期で現れる体調を判定するための婦人用体調管理装置に関する。
【０００２】
【従来の技術】
婦人の月周期で現れる体調は基礎体温と密接な関係を有しており、図１に示されるように、排卵日を境に基礎体温は低温期から高温期に推移し、月経開始日を境に高温期から低温期に推移するということが知られている。従来、この関係を利用して、婦人用基礎体温計で毎朝起床時に基礎体温の推移を測定し、用紙に表あるいはグラフの形式でマニュアルで記録することにより、婦人の月周期で現れる体調が判定されてきた。
【０００３】
【発明が解決しようとする課題】
この従来の基礎体温の推移に基づく体調判定では、毎日起床時に横臥位の静止した状態で通常５分間程度の時間をかけて基礎体温を測定しなければならず、途中経過がわからずに待っているのは、苦痛である。また、脂肪計付き体重計では、測定中の待機表示画面としては、体脂肪の測定が始まると同時に同形状のものが左端より段階的に表示される。この場合、動きがないのと同じなので、人によっては飽きがくる可能性がある。
【０００４】
本発明の目的は、上述したような従来技術の問題点を解消し、測定時間を忘れさせる動きのある画面を表示する婦人用体調管理装置を提供することである。
【０００５】
【課題を解決するための手段】
本発明の一つの観点によれば、生体電気インピーダンス値を測定するためのインピーダンス測定手段と、該測定された生体電気インピーダンス値を記憶するためのインピーダンス記憶手段と、該測定された生体電気インピーダンス値の推移に基づいて婦人の月周期で現われる体調を判定するための判定手段と、前記測定手段によるインピーダンスの測定中または前記判定手段による判定中に、月周期の模式図上をマークが移動する画面を表示する表示手段とを備えることを特徴とする婦人用体調管理装置が提供される。
【０００６】
本発明の一つの実施の形態によれば、前記模式図がサインカーブ、円、または直線である。
【０００７】
本発明の別の実施の形態によれば、前記マークが○印と動物の絵である。
【０００８】
本発明の別の実施形態によれば、前記マークが月日の変化に応じて、色または形の少なくとも一つが変化する。
【０００９】
本発明の別の実施の形態によれば、前記表示手段が更に記憶装置に記録されている測定データをテロップで流す。
【００１０】
【発明の実施の形態】
本発明の婦人用体調管理装置について説明する前に、最初に、本発明の発明者が複数の被験者について測定を繰り返すことによって見出し、後述する本発明に係る婦人用体調管理装置による判定の基礎となる生体電気インピーダンス値（以下、ＢＩという）と婦人の月周期で現れる体調との関係について測定結果を示して説明する。以下で示す測定結果は被験者の毎日起床時に測定した測定結果であり、ＢＩは両足間で測定されたものである。
【００１１】
先ず、ＢＩの推移の周期性について概要を説明すると、図２は、ＢＩ及び基礎体温の推移を示す図であり、移動平均法により各隣接する２つの測定値の平均値をグラフにしたものである。図２から、ＢＩは、ばらつきが大きいものの全体の傾向として、基礎体温の低温期には高値を示し、高温期には低値を示し、また、月経直前から月経前半期には一時上昇後に低値を示すといったように周期的に推移することが分かる。
【００１２】
次に、ＢＩと体重との関係について説明すると、図３は体重の推移を示す図である。図３から、測定期間中、被験者の体重は徐々に減少していることが分かる。そして、図４は、ＢＩと体重との相関関係を示す図である。図４から、ＢＩと体重との間には相関係数Ｒ＝０．５２７の有意な負の相関がある、すなわち、体重が減少するとＢＩは上昇し、体重が増加するとＢＩは下降するという関係があることが分かる。このような関係は、一般に体重の増減に伴って体内の水分も増減し、また、一般に体内の水分の増減に伴ってＢＩも増減するために生じると考えられる。以上から、図２に示したＢＩは図３に示した体重減少の影響を受けたものであることが分かる。
【００１３】
図５は、上述のような体重変化の影響を除去した体重補正ＢＩの推移を示す図である。体重補正ＢＩは、ＢＩから体重の増減に伴うＢＩの増減を減算もしくは加算することにより得られるものであり、補正式１もしくは補正式２から算出される。ここで、Ａ及びＢは補正係数である。
【００１４】
補正式１  ：  体重補正ＢＩ＝ＢＩ＋Ａ×初回に測定された体重との差異
補正式２  ：  体重補正ＢＩ＝ＢＩ＋Ｂ×前回測定された体重との差異
図５と図２とを比較すると、体重変化の影響が除去された体重補正ＢＩの推移は、補正されていないＢＩの推移に比べてより明確な周期性を示すことが分かる。
【００１５】
次に、ＢＩと基礎体温及びＰＭＳとの関係について説明する。図２及び図５から、ＢＩは基礎体温の低温期には高値を示し、高温期には低値を示すが、これに反して、図２及び図５に示されるように基礎体温の低温期にあたる月経直前から月経前半期には低値を示すことが分かる。このように、各期により相反する傾向を示すため、図６に示されるように、体重補正ＢＩと基礎体温との間には有意な相関は確認されない（相関係数Ｒ＝０．４２４）。
【００１６】
基礎体温の低温期にあたる月経直前から月経前半期に現われるＢＩの低値の要因としては、この期間に婦人の身体が水分を貯蔵してむくみを生じることが考えられる。むくみによって体内の水分が増加し、この体内の水分の増加によってＢＩの下降がもたらされれるのである。従って、ＢＩの推移と基礎体温及びむくみとの間には、むくみの発生と共にＢＩは低値を示し、その後、むくみの消失と共にＢＩは高値を示すという関係があることが分かる。そして、これは、ＢＩの推移に基づいて、基礎体温からは不可能であったむくみの判定が可能なことを示唆するものである。また、月経前に現れるむくみはＰＭＳと関係が深く、ＰＭＳはむくみと共に現れ、むくみがひどいほどＰＭＳも重くなることが知られている。従って、ＢＩの推移に基づいて、むくみの判定と同様にＰＭＳの判定も可能なことが分かる。
【００１７】
次に、ＢＩと婦人の月周期で現れる体調との関係について説明すると、図７及び図８は、体重補正ＢＩと婦人の月周期で現れる体調と基礎体温の推移を示す図である。図７及び図８には、ＢＩは婦人の月周期で現れる体調と関連して周期的に推移することが明確に現れている。そして、これは、図７及び図８に示されているＢＩと婦人の月周期で現れる体調との関係を利用することにより、ＢＩの推移に基づいて、婦人の月周期で現れる体調の判定が可能となることを示唆するものである。従って、例えば、図７、図８及び上述の説明から、ＢＩが高値から低値に推移したことにより排卵日を判定し、また、むくみ及びＰＭＳの発現を判定し、ＢＩの上昇によりＰＭＳの終了を判定し、ＢＩが高値で安定したことにより月経終了を判定するといったように婦人の月周期で現れる体調を判定することが可能である。尚、ＰＭＳ期でのＢＩ値の変動には、３タイプがある。図７に示すタイプＡの人では、ＢＩ値が一時上昇し、月経直前から下降する。このタイプの場合、ＰＭＳ症状が現れることを予見できる。タイプＢの人では、ＢＩ値が上昇も下降もせず、変化がない。タイプＣの人では、ＢＩ値が下降する。ここで、ＢＩ値が下降しているときには、前述したイライラ等のＰＭＳ症状が出ている。また、むくみも現われている。
【００１８】
以上、被験者の例で、両足間で測定されたＢＩと婦人の月周期で現れる体調との関係を上述したが、上述の関係は、本被験者においてのみ確認されたものではなく、他の被験者においても同様の関係が確認されており、一般婦人に普遍的に適用可能である。また、両足間で測定されたＢＩに限られず、両手間及び手足間で測定されたＢＩと婦人の月周期で現れる体調との間にも上述の関係と同様の関係が確認されている。但し、両足間で測定されたＢＩの場合に最も顕著に上述の関係が見出されたので、判定時には両足間で測定されたＢＩを使用するのが好ましい。
【００１９】
続いて、本発明の好適な実施例を図面に基づいて説明する。
【００２０】
図９は、本発明に係る婦人用体調管理装置の第一実施例の外部構成を示す正面図である。図９に示すように、婦人用体調管理装置１０は、体重計付き生体電気インピーダンス計２０と、この体重計付き生体電気インピーダンス計２０に赤外線や電波等による無線通信を介して接続された制御ボックス４０とから構成されている。
【００２１】
本実施例では、体重計付き生体電気インピーダンス計２０と制御ボックス４０とは赤外線や電波等による無線通信を介して相互に接続されているが、例えば通常の電気ケーブルを介して接続されても良い。
【００２２】
体重計付き生体電気インピーダンス計２０の上面には、定電流印加用電極２１ａ、２１ｂ及び電圧測定用電極２２ａ、２２ｂが設けられており、また、制御ボックス４０の前面には、電源ボタン４１ａ、計測ボタン４１ｂ、記録ボタン４１ｃ、送信ボタン４１ｄ、生理ボタン４１ｅ、決定ボタン４１ｆ、選択ボタン４１ｇ、キャンセルボタン４１ｈ、リセットボタン４１ｉ、方向ボタン４１ｊといった一群の操作ボタン、及び、表示部４２が設けられている。なお、方向ボタン４１ｊは、図に示されている通り、→ボタン、←ボタン、↑ボタン、および↓ボタンから成る。
【００２３】
図１０は、図９に示した婦人用体調管理装置の機能構成を示すブロック図である。図１０に示されるように、体重計付き生体電気インピーダンス計２０には、定電流印加用電極２１ａ、２１ｂと、定電流印加用電極２１ａ、２１ｂに印加される高周波の微弱な定電流を生成するための高周波定電流回路２３と、電圧測定用電極２２ａ、２２ｂと、電圧測定用電極２２ａ、２２ｂ間の電圧を測定するための電圧測定回路２４と、被判定者の体重を測定するための体重測定装置２５と、測定された電圧及び体重をＡ／Ｄ変換するためのＡ／Ｄ変換器２８と、無線通信のための通信部２９とが備えられている。
【００２４】
また、制御ボックス４０には、測定開始の指示や月経期間データの入力等のための一群の操作ボタン４１ａから４１ｊを含むデータ入力装置４１と、測定されたＢＩの推移や判定された体調等を表示するための表示部４２と、測定日時等を計時するための時計装置４３と、測定されたＢＩや計時された測定日時等を記憶するための記憶装置４４と、入力装置４１によって入力された月経期間データや測定されたＢＩ及び体重等のデータに基づいて婦人の月周期で現れる体調を判定したり、記憶装置４４への各種データの記憶や表示装置４２への各種データの表示を制御したりするためのＣＰＵ４５と、無線通信のための通信部４６とが備えられている。
【００２５】
本実施例では、各機能要素が上述のように体重計付き生体電気インピーダンス計２０と制御ボックス４０とに分離されているが、本発明はこれに限られず、例えばＣＰＵ４５は制御ボックス４０ではなく体重計付き生体電気インピーダンス計２０に備えられていても良く、また、体重計付き生体電気インピーダンス計２０と制御ボックス４０とが一体となった構成とされていても良い。
【００２６】
次に、上述したような実施例の婦人用体調測定装置の動作について詳述する。
【００２７】
図１２〜図１８、図２０、および図２１は、本発明の婦人体調管理装置の動作を示すフローチャートであり、図１９は、状態遷移図である。まず、図１２を用いて、メインプログラムの動作を説明する。ステップＳ１では、被判定者は電源ボタン４１ａを押下して婦人用体調管理装置１０の電源をオンにする。ステップＳ２では、初期化処理を行なう。初期化処理の詳細は後で説明する。ステップＳ３では、図２２に示すように当月のカレンダーを表示部４２に表示する。上部には、各種コマンドのアイコンも表示する。２４日の長方形マークは、当日を意味する。
【００２８】
次に、方向ボタン４１ｊの↑ボタン、計測ボタン４１ｂ、選択ボタン４１ｇ、生理ボタン４１ｅ、←ボタン、および→ボタンが押されると、それぞれ、ステップＳ４、Ｓ５、Ｓ６、Ｓ７、Ｓ８およびＳ９に制御は進む。
【００２９】
ステップＳ４では、妊娠可能期間表示モードになり、生理開始予定日、妊娠可能予定日がカレンダーに表示される。詳細は後で説明する。ステップＳ５では、計測モードとなり、生体電気インピーダンス等を測定し、結果を表示する。詳細は後で説明する。ステップＳ６では、アイコンモードとなり、カレンダー上部のアイコンに対応するコマンドを実行する。詳細は後で説明する。
【００３０】
ステップＳ７では、生理日をカレンダー上で指定する。ステップＳ８では、前月カレンダーを表示する。ステップＳ９では、次月カレンダーを表示する。
ステップＳ１０では、オートパワーオフタイマーをカウントアップする。このオートパワーオフタイマーは、電源が入った時またはキー操作でリセットされる。ステップＳ１１では、所定時間が経過したかを判定する。経過していない場合は、ステップＳ１０に戻る。ステップＳ１２では、パワーオフする。
【００３１】
次に、図１３を用いて、初期化処理（ステップＳ２）を詳細に説明する。この初期化処理は、初めて電源ボタンが押下されるか、リセットボタンが押下された場合のみ処理される。初めて電源がオンしたかの判断は、一般的に行なわれている方法により行なわれる。たとえば、初期化フラッグという変数を用意し、初期化が行なわれた際、このフラッグをセットする。そして、初期化処理を行なう一番最初のステップで、このフラッグをテストし、もし、セットされていれば、初期化処理を行なわない。
【００３２】
ステップＳ２１において、内部変数を初期化する。ステップＳ２２において、内部時計の日時を現在の日時に設定する。ステップＳ２３において、最近の生理日を入力する。
【００３３】
次に、図１４を用いて、妊娠可能期間表示モードの処理（ステップＳ４）を詳細に説明する。このモードを意味するアイコン等の説明情報は表示されない。これは、このモードで表示される情報がシークレット性の高いものであるからである。ステップＳ３１では、図２３と図２４に示すように妊娠可能予定期間と生理開始予定日を表示する。図２３において、◎は、排卵日を示す。◎を挟むＧＯＯＤを表示して、妊娠可能予定期間を示す。そして、これら妊娠可能予定期間マークと日付が交互に点滅する。２４日の長方形マークは、図２２と同様に当日を意味する。図２４において、Ｍは生理開始予定日を示す。そして、Ｍと日付が交互に点滅する。図２３と図２４の場合のように妊娠可能予定期間と生理開始日が２ヶ月に渡る場合は、図２３の右上隅の→アイコンが点滅する。→ボタンを押下すると、次月（図２４）を見ることが出来る。次月では、図２４に示されているように左上隅の←アイコンが点滅する。この実施例では、妊娠可能予定期間は、排卵日とその前後２日間の５日間としているが、次回の生理開始予定日の前日から数えて１１日目から１９日目の９日間という考え方もある。
【００３４】
ステップＳ３２において、キャンセルボタン４１ｈあるいは↓ボタンが押下されたかを判定する。押下された場合は、ステップＳ３に戻り、妊娠可能期間表示モードを終了する。ステップＳ３３では、タイマーをカウントアップする。ステップＳ３４では、所定時間が経過したかを判定する。経過していない場合は、ステップＳ３２に戻る。ステップＳ３５では、パワーオフする。
【００３５】
次に，図１５を用いて、計測処理（ステップＳ５）を詳細に説明する。ステップＳ４１では、図２５に示すように「インピーダンス計にお乗りください」というメッセージが、表示部４２に点滅表示される。同時に日付と時間が上部に表示される。キャンセルボタン４１ｈを押下すれば、ステップＳ３に進む。
【００３６】
ステップＳ４２では、３０秒以内に、被判定者が左足裏及び右足裏のつま先を定電流印加用電極２１ａ及び２１ｂにそれぞれ接触させ、また、左足裏及び右足裏のかかとを電圧測定用電極２２ａ、２２ｂにそれぞれ接触させて、体重計付き生体電気インピーダンス計２０に素足で乗ると、体重測定装置２５は重量を検知して被判定者の体重の測定を開始する。続いて、ステップＳ４３では、高周波定電流回路２３によって生成された高周波の微弱な定電流が、定電流印加用電極２１ａ及び２１ｂを介して被判定者のつま先に印加され、被判定者の下腹部を含む両足間に流される。そして、電圧測定回路２４によって電圧測定用電極２２ａ、２２ｂ間の電圧が測定され、ＢＩが測定される。判定結果が表示されるまでは、表示部４２に図２６に示すように計測中を示すサインカーブ形状の月周期図をＣＰＵ４５は表示する。サインカーブ上を□とひよこのキャラクターが左から右へ繰り返し移動する。サインカーブは、円または直線等でもよい。ひよこは、動物でもよい。また、記憶装置４４に記憶されている測定データをテロップで流してもよい。これらには、測定中の待ち時間を感じさせないあるいは飽きさせない等の効果がある。□は、○、あるいは●であってもよい。ひよこのキャラクターは、月日の変化に応じて、色あるいは形等が変化するキャラクターにしてもよい。ステップＳ４４では、ステップＳ４で測定されたＢＩが、前述したような体重補正式１または２に基づいて補正される。これにより、体重変化の影響が除去された体重補正ＢＩが算定される。
【００３７】
ステップＳ４５では、ＣＰＵ４５において、上述したようなＢＩと婦人の月周期で現れる体調との関係に基づいて、ステップＳ４４で得られた今回測定された体重補正ＢＩや記憶装置２４に記憶されている前回までに測定された体重補正ＢＩ、同じく記憶装置２４に記憶されている月経期間データ等から次のようにして体調が判定される。図１２のステップＳ７で指定された生理開始日データの日にちを生理開始日とする。生理開始日から一週間を第一の期間（生理期）とする。その次の日から過去の月周期の2週間目の平均ＢＩ値より４％低いＢＩ値が測定される前日までを第二の期間（好調期）とする。その次の日から、過去のデータから推測される次の生理開始予定日の一週間前迄を第三の期間（維持期）とする。次の日から次の生理開始日データが入力される日までを第四の期間（ＰＭＳ期）とする。前述したように図７のタイプＡ、ＢまたはＣのいずれのタイプかを判定し、ＰＭＳ症状の発現を判定する。タイプＡの場合は、ＰＭＳ症状の発現を予見する。排卵予定日は、過去のデータから推測される次の生理予定日から遡って、１４日目とする。尚、排卵日は、好調期の最後の日なので、この日の翌日に至ると、前述した妊娠可能予定日は補正される。
【００３８】
以上の判定には、過去のデータが必要なので、少なくとも過去の一月周期のデータが必要となる。このデータが無い場合には、表示部４２に「データが足りません」といった内容のメッセージを表示する。
【００３９】
次にＰＭＳ期に特徴的な「むくみ」レベルの判定方法について説明する。この期間の過去の平均ＢＩ値を基準として、１％以下の減少が生じたら、むくみレベル１と判定する。以下、１％減少する毎にむくみレベルは一つづつ上がる。
【００４０】
ステップＳ４６では、正常に測定および判定が完了すると、判定された体調が表示される。詳細は後で説明する。ステップＳ４７では、→ボタンが押下されるか、所定時間が経過すると、表示部４２に「記録ボタンを押し、データを記録してください」というメッセージが表示される。記録ボタン４１ｃを押下すると、今回測定された体重補正ＢＩや体重等の値が記憶装置４４に記憶される。メインプログラムに戻る。
【００４１】
次に、図１６を用いて、体調表示処理（ステップＳ４６）を詳細に説明する。ステップＳ１４１では、図２７に示すようにサインカーブ上の○が測定したその日の位置に点滅しながら止まり、同時にその日の体調を表す情報、例えば言葉「ＰＭＳ」が点滅表示される。その後、点滅が解除され固定表示される。表示画面の左下および右下の「Ｍ」は、生理を意味する。ステップＳ１４２では、→ボタンが押下されるか、所定時間が経過すると、図２８に示すように体調に対応するサイクルメッセージが表示される。このメッセージにおいては、むくみのレベル、「きもち」及び「肌状態」等の精神面と「からだ」等の身体面の調子がバーグラフで表示される。むくみレベルにおいては、反転表示されたマーク一つがむくみレベルの一つを表している。ステップＳ４５で判定した「生理期、「好調期」、および「維持期」の「きもち」、「からだ」、「肌状態」、「フェロモン」のレベルは、各期間開始からの日数で割り当てられる。「ＰＭＳ期」に関しては、ステップＳ４５で説明したＢＩ変化値から判定した「むくみレベル」によって「きもち」と「からだ」のレベルを決定する。むくみが強いと脳内浮腫が起き、イライラの症状が強く出るので、「きもち」のレベルは、低くなる。また、むくみが強いと倦怠感が増すので、「からだ」のレベルは低くなる。「フェロモン」レベルは、女性が最も女性らしい排卵時に１００％になると決めている。この実施例では,グラフがバーグラフの場合を示しているが、円グラフ、折れ線グラフ、あるいはレーダーチャートでもよい。さらに、立体表示してもよい。ステップＳ１４３では、→ボタンが押下されるか、所定時間が経過すると、図２９に示すように体調に対応するアドバイスが表示される。ステップＳ１４４では、→ボタンが押下されるか、所定時間が経過すると、妊娠の可能性があると判定された場合、図３０に示す妊娠可能性ありのメッセージが表示部４２に表示される。ステップＳ１４５では、→ボタンが押下されるか、所定時間が過ぎると、図３１に示されるように体重と体脂肪率がその増減を示す↑あるいは↓と共に表示される。ステップＳ１４６では、→ボタンが押下されるか、所定時間が経過すると、図３２に示されるように過去６ヶ月間の月経周期日数の平均値、平均体重、過去の月経周期の開始日と終了日、月経周期の日数およびその周期内の平均体重が表示される。
【００４２】
次に、図１７を用いて、アイコンモードの処理（ステップＳ６）を詳細に説明する。図２２の上部に表示されているコマンドのアイコンのボディサイクル表示アイコンが選択ボタン４１ｇで選択され、決定ボタン４１ｆが押下されると、ステップＳ５１に進み、ボディサイクル表示処理を行なう。グラフ表示アイコンが選択ボタン４１ｇで選択され、決定ボタン４１ｆが押下されると、ステップＳ５２に進み、グラフ表示を行なう。日記の記入・閲覧アイコンが選択ボタン４１ｇで選択され、決定ボタン４１ｆが押下されると、ステップＳ５３に進み、日記の記入・閲覧処理が行なわれる。問い合わせアイコンが選択ボタン４１ｇで選択され、決定ボタン４１ｆが押下されると、ステップＳ５４に進み、問い合わせ処理を行なう。アラーム設定アイコンが選択ボタン４１ｇで選択され、決定ボタン４１ｆが押下されると、ステップＳ５５に進み、アラーム設定処理が行なわれる。この処理では、アラーム音を鳴らす日時を設定する。サウンド設定アイコンが選択ボタン４１ｇで選択され、決定ボタン４１ｆが押下されると、ステップＳ５６に進み、サウンド設定処理を行なう。この処理では、アラーム以外のサウンド・音声のオン・オフを設定する。各処理の詳細な説明は、図１８〜図２１を用いて、次に説明する。
【００４３】
まず、図１８を用いて、ボディサイクル表示処理（ステップＳ５１）を説明する。ステップＳ６１では、図１６のステップＳ１４１で説明したと同様にサイクル図（図２７）を表示する。キャンセルボタンを押下すると、ステップＳ３に戻る。→ボタンが押下されるか、所定時間が経過すると、ステップＳ６２では、ステップＳ１４２で説明したと同様にサイクルメッセージ（図２８）を表示する。キャンセルボタンを押下すると、ステップＳ３に戻る。→ボタンが押下されるか、所定時間が経過すると、ステップＳ６３では、ステップＳ１４３で説明したようにアドバイス・メッセージ（図２９）を表示する。キャンセルボタンを押下すると、ステップＳ３に戻る。キャンセルボタンが押下されると、ステップＳ３に戻る。→ボタンが押下されるか、所定時間が経過すると、ステップＳ６４において、「明日の予想」メッセージが表示される。続いて、キャンセルボタンが押下されると、ステップＳ３に戻る。→ボタンが押下されるか、所定時間が経過すると、ステップＳ６５において、図３３に示すように、明日のアドバイス・メッセージを表示する。キャンセルボタンを押下すると、ステップＳ３に戻る。妊娠の可能性があると判定された場合、矢印ボタンが押下されるか、所定時間が経過すると、ステップＳ６６において、ステップＳ１４４で説明したと同様に妊娠可能性メッセージ（図３０）が表示される。
【００４４】
次に、図１９の状態遷移図を用いて、グラフ表示処理（ステップＳ５２）を説明する。状態ＳＴ７１では、図３４に示すように当月の体重の変化のグラフ及び平均値を表示する。←ボタンが押下されると、状態ＳＴ７２に遷移し、前月の体重の変化のグラフ及び平均値を表示する。この状態で→ボタンが押下されると、状態ＳＴ７１に遷移する。他の状態も同様の遷移をする。状態ＳＴ７３では、次月の体重の変化のグラフ及び平均値を表示する。状態ＳＴ７４では、図３５に示すように当月の体脂肪率の変化のグラフ及び平均値を表示する。状態ＳＴ７５では、前月の体脂肪率を表示する。状態ＳＴ７６では、次月の体脂肪率の変化のグラフ及び平均値を表示する。状態ＳＴ７７では、図３６に示すように当月のＢＩ値の変化のグラフ及び平均値を表示する。状態ＳＴ７８では、前月のＢＩ値の変化のグラフ及び平均値を表示する。状態ＳＴ７９では、次月のＢＩ値の変化のグラフ及び平均値を表示する。→ボタンまたは←ボタンが押下されずに所定時間が経過すると、パワーオフする。
【００４５】
次に、図２０を用いて、日記の記入・閲覧処理（ステップＳ５３）を説明する。ステップＳ８１では、当日の日付と日記が図３７に示されているように表示部４２に表示される。ステップＳ８２では、被判定者は表示されている項目にＹＥＳ／ＮＯで答える。ＹＥＳを選択する場合は、↑ボタンを押下し、決定ボタン４１ｆの押下により決定する。ＮＯを選択する場合は、↓ボタンを押下し、決定ボタン４１ｆの押下により決定する。←ボタンで過去の日記に記入することができる。キャンセルボタンの押下すると、ステップＳ３に戻る。ステップＳ８３では、図３８に示すように確認を求める画面となる。被判定者は、ＹＥＳまたはＮＯを↑ボタンまたは↓ボタンで選択し、決定ボタン４１ｆで決定する。ＮＯを選択し、決定した場合には、ステップＳ８１に戻る。ステップＳ８４では、図３９に示されているように当日の日記を表示する。←ボタンを押下すると、図４０に示すように過去の日記を表示することができる。→ボタンを押下することにより戻ることが出来る。
【００４６】
次に、図２１を用いて、問い合わせ処理（ステップＳ５４）を説明する。ステップＳ９１では、図４１に示すように「何を知りたいですか？」のメッセージと共に項目選択画面が表示される。ステップＳ９２では、被判定者は、↓ボタンあるいは↑ボタンを用いて、スクロール選択し、決定ボタン４１ｆを押下して決定する。項目としては、「デートした日」、「不正出血した日」、「生理が始まった日」、「次の生理開始予定日」、「排卵日と妊娠可能予定日」、「次のＰＭＳ予定日」および「ダイエットに適した日」等がある。「ダイエットに適した日（期間）」の決め方について説明する。期間の開始は、排卵予定日の３日前とする。被判定者の月経周期を仮に２８日とする。月経ボタンが押された日から数えて１４日目（排卵予定日）の３日前からとする。この日数は、被判定者の平均周期によって当然違ってくる。体温はまだ上がってこないが、排卵日前にはむくみがとれて自然に痩せてくる。この時、食事と運動に気をつけると、ダイエットの効果がでると言われている。次に、期間の終了を説明する。終了は、ＢＩが下降し、ＢＩ低値期間に入ったら、低値期間の４日目とする。即ち、体温が上がってから４日目迄を「ダイエットに適した期間」と決める。理由は高温期は、体温が高いので消費エネルギーが高くなるからである。ステップＳ９３では、図４２に示すように、ステップＳ９２で指定した項目に該当する日を含む月のカレンダーが表示され、該当日は点滅する。この実施例では、該当する日がカレンダー上に表示されるが、ただ単に日付を文字で表示してもよい。→ボタンを押下するか所定時間が経過すると、ステップＳ９１に戻る。キャンセルボタン４１ｈが押下されると、ステップＳ３に戻る。
【００４７】
次いで、本発明の更に別の実施例について説明する。図１１は、本発明に係る婦人用体調管理装置の第二実施例の外部構成を示す斜視図である。本実施例の婦人用体調管理装置５０は、体重計付き生体電気インピーダンス計と制御ボックスとに分離されていない両者一体型の構成となっており、また、体温測定が可能となっている点において図９に示した第一実施例のものとは異なっている。婦人用体調管理装置５０の上面には、定電流印加用電極５１ａ、５１ｂ、電圧測定用電極５２ａ、５２ｂと、操作キー５３と、表示部５４とが設けられている。そして、定電流印加用電極５１ａ、５１ｂの先端部には体温測定用センサー５５ａ、５５ｂが設けられており、これらのセンサーを両足の指の間に挟むことにより、体温を測定できるようになっている。体温の測定手段としては、体温測定用センサーに限られず、例えば耳測定式の赤外線体温計を婦人用体調管理装置５０に接続しても良く、また、舌下測定式の基礎体温計を接続して、より精密な測定を可能にしても良い。測定された体温は、ＢＩと共に、ＣＰＵで実施される婦人の月周期で現れる体調を判定するためのデータとして使用され、これによって、より正確な体調判定が可能となる。
【００４８】
尚、上述した第一実施例及び第二実施例は両者共に両足間のＢＩを測定するようにされたものであるが、両手間もしくは手足間のＢＩを測定するようにされたものであっても良い。
【００４９】
また、複数名の測定データを記憶可能とし、被判定者を選択可能とするための選択キーを設けるなどして、１名だけでなく複数名が共同で使用可能な装置としても良い。
【００５０】
そして、また、測定されたＢＩを利用して、婦人の体調判定と共に体脂肪率の算出を可能とし、結果を表示部に表示するようにしても良い。更に、測定された体温や体重を、婦人の月周期で現れる体調を判定するためのデータとして利用するだけでなく、体温データや体重データとして表示部に表示するようにしても良く、これにより、本装置１台で従来の体温管理や体重管理、体脂肪管理を含む広範な体調管理が可能となる。
【００５１】
次いで、本発明の更に別の実施例について説明する。第一実施例の図２７の結果の表示を図４３に変更したものである。サインカーブ上の○がその日の位置に点滅しながら止まり、同時にその日の体調を表す言葉が点滅表示されるのは、第一実施例と同じである。この実施例では、第一実施例に加えて、その日以外の月経周期内の体調が日付と共に表示されている。この例では、生理、好調期、排卵および次生理が表示されている。さらに、ひよこの絵がその日の体調の上の位置に表示される。左下には、体重が表示される。
【００５２】
次に、本発明の更に別の実施例について説明する。第一実施例の図２６の測定中の表示を図４４に示す図のようにしたものである。測定中および判定中に、鶏の卵が左端より転がり、終了間際に卵が割れ中からひよこが生れるアニメーションが表示される。このアニメーションは、月周期を表すものであればよい。たとえば、月の満ち欠け、特に月が三日月から満月に変わるアニメーションでもよい。
【００５３】
【発明の効果】
以上説明したように、本発明の婦人用体調管理装置では、計測中、サインカーブ上を○とひよこのキャラクターが左から右に繰り返し移動するので、被判定者は、飽きずに計測を行なうことができる。
【図面の簡単な説明】
【図１】婦人の月周期で現れる体調と基礎体温及びホルモンの分泌との関係を示す図である。
【図２】ＢＩ及び基礎体温の推移を示す図である。
【図３】体重の推移を示す図である。
【図４】ＢＩと体重との相関関係を示す図である。
【図５】体重補正ＢＩの推移を示す図である。
【図６】体重補正ＢＩと基礎体温との相関関係を示す図である。
【図７】体重補正ＢＩと婦人の月周期で現れる体調と基礎体温の推移を示す図である。
【図８】体重補正ＢＩと婦人の月周期で現れる体調と基礎体温の推移を示す図である。
【図９】本発明に係る婦人用体調管理装置の第一実施例の外部構成を示す正面図である。
【図１０】図２に示した婦人用体調管理装置の機能構成を示すブロック図である。
【図１１】本発明に係る婦人用体調管理装置の第ニ実施例の外部構成を示す斜視図である。
【図１２】本発明に係る婦人の月周期で現れる体調を判定するための手順を示すフローチャートである。
【図１３】初期化処理の手順を示すフローチャートである。
【図１４】妊娠可能期間表示モードの手順を示すフローチャートである。
【図１５】計測処理の手順を示すフローチャートである。
【図１６】体調表示の手順を示すフローチャートである。
【図１７】アイコンモードの手順を示すフローチャートである。
【図１８】ボディサイクル表示の手順を示すフローチャートである。
【図１９】グラフ表示処理の手順を示す状態遷移図である。
【図２０】日記の記入・閲覧処理の手順を示すフローチャートである。
【図２１】問い合わせ処理の手順を示すフローチャートである。
【図２２】本発明に係る装置の表示部の初期画面を示す図である。
【図２３】妊娠可能予定日を表示部にカレンダー表示するのを説明する図である。
【図２４】生理開始予定日を表示部にカレンダー表示するのを説明する図である。
【図２５】計測の開始を示す画面を説明する図である。
【図２６】計測途中の表示部の画面を説明する図である。
【図２７】体調の判定結果の画面を説明する図である。
【図２８】サイクルメッセージの画面を説明する図である。
【図２９】アドバイスのメッセージの画面を説明する図である。
【図３０】妊娠の可能性のメッセージの画面を説明する図である。
【図３１】体重と体脂肪率の測定結果の画面を説明する図である。
【図３２】平均サイクルと平均体重の計算結果の画面を説明する図である。
【図３３】明日のアドバイスのメッセージの画面を説明する図である。
【図３４】体重の月内変化をグラフ表示する画面を説明する図である。
【図３５】体脂肪率の月内変化をグラフ表示する画面を説明する図である。
【図３６】ＢＩ値の月内変化をグラフ表示する画面を説明する図である。
【図３７】日記の入力を要求する画面を説明する図である。
【図３８】日記の入力事項の確認を促す画面を説明する図である。
【図３９】当日の日記を示す図である。
【図４０】次月の日記を示す図である。
【図４１】問い合わせの画面を説明する図である。
【図４２】「デートした日」をカレンダー表示する画面を説明する図である。
【図４３】第三実施例の体調の判定結果の画面を説明する図である。
【図４４】第四実施例の計測中の画面を説明する図である。
【符号の説明】
１０、５０  婦人用体調管理装置
２０    体重計付き生体電気インピーダンス計
２１ａ、２１ｂ、５１ａ、５１ｂ  定電流印加用電極
２２ａ、２２ｂ、５２ａ、５２ｂ  電圧測定用電極
２３    高周波定電流回路
２４    電圧測定回路
２５    体重測定装置
３０    電気ケーブル
４０    制御ボックス
４１    データ入力装置
４１ａ  電源ボタン
４１ｂ  計測ボタン
４１ｃ  記録ボタン
４１ｄ  送信ボタン
４１ｅ  生理ボタン
４１ｆ  決定ボタン
４１ｇ  選択ボタン
４１ｈ  キャンセルボタン
４１ｉ  リセットボタン
４１ｊ  方向ボタン
４２ａ、５４  表示部
４３    時計装置
４４    記憶装置
４５    ＣＰＵ
５５ａ、５５ｂ  体温測定用センサー
５３    操作キー
【図１】
0003788732.tif 000002
【図２】
0003788732.tif 000003
【図３】
0003788732.tif 000004
【図４】
0003788732.tif 000005
【図５】
0003788732.tif 000006
【図６】
0003788732.tif 000007
【図７】
0003788732.tif 000008
【図８】
0003788732.tif 000009
【図９】
0003788732.tif 000010
【図１０】
0003788732.tif 000011
【図１１】
0003788732.tif 000012
【図１２】
0003788732.tif 000013
【図１３】
0003788732.tif 000014
【図１４】
0003788732.tif 000015
【図１５】
0003788732.tif 000016
【図１６】
0003788732.tif 000017
【図１７】
0003788732.tif 000018
【図１８】
0003788732.tif 000019
【図１９】
0003788732.tif 000020
【図２０】
0003788732.tif 000021
【図２１】
0003788732.tif 000022
【図２２】
0003788732.tif 000023
【図２３】
0003788732.tif 000024
【図２４】
0003788732.tif 000025
【図２５】
0003788732.tif 000026
【図２６】
0003788732.tif 000027
【図２７】
0003788732.tif 000028
【図２８】
0003788732.tif 000029
【図２９】
0003788732.tif 000030
【図３０】
0003788732.tif 000031
【図３１】
0003788732.tif 000032
【図３２】
0003788732.tif 000033
【図３３】
0003788732.tif 000034
【図３４】
0003788732.tif 000035
【図３５】
0003788732.tif 000036
【図３６】
0003788732.tif 000037
【図３７】
0003788732.tif 000038
【図３８】
0003788732.tif 000039
【図３９】
0003788732.tif 000040
【図４０】
0003788732.tif 000041
【図４１】
0003788732.tif 000042
【図４２】
0003788732.tif 000043
【図４３】
0003788732.tif 000044
【図４４】
0003788732.tif 000045